【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
ユーザにより入力された他のユーザへの通知情報を、他のユーザが使用する情報端末装置へ通知し表示させる情報通知装置において、
ユーザをグループ化したときに、各ユーザの所属グループ及び通知先情報を記憶するグループ情報記憶手段と、
グループ間の包含関係を記憶するグループ間情報記憶手段と、
通知情報を異なる表現で開示するための変換ルールを記憶する変換ルール記憶手段と、
グループ間毎に適用する変換ルールを記憶する適用変換ルール記憶手段と、
通知情報を入力したユーザと異なるグループに属するユーザへ通知する通知情報を、当該グループ間の包含関係に対応した変換ルールに従い変換する通知情報変換手段と、
を有し、入力された通知情報を、他のユーザが属するグループによって異なる表現での表示を可能にしたことを特徴とする情報通知装置。
【請求項２】
請求項１に記載の情報通知装置において、
前記通知情報変換手段は、通知情報を入力したユーザが所属しているグループを包含しているグループに所属するユーザに対して通知する通知情報に対しては変換ルールに従い異なる表現に変換し、通知情報を入力したユーザが所属しているグループに包含されているグループに所属するユーザに対して通知する通知情報に対しては表現を変更しないことを特徴とする情報通知装置。
【請求項３】
請求項１に記載の情報通知装置において、
前記各記憶手段に記憶されたグループ情報、グループ間情報、変換ルール又は適用変換ルールのいずれか少なくとも一つの情報に対してカスタマイズ情報を別途設定するカスタマイズ手段を有し、
前記通知情報変換手段は、前記カスタマイズ手段によりカスタマイズ情報が別途設定されているときには、その設定されたカスタマイズ情報を優先的に用いて通知情報を変換することを特徴とする情報通知装置。
【請求項４】
請求項３に記載の情報通知装置において、
前記カスタマイズ手段は、１又は複数のグループ毎にカスタマイズ情報を設定し、
前記通知情報変換手段は、前記カスタマイズ手段によりカスタマイズ情報が別途設定されているグループからの通知情報に対して当該カスタマイズ情報を優先的に用いて通知情報を変換することを特徴とする情報通知装置。
【請求項５】
請求項１に記載の情報通知装置において、
前記通知情報変換手段は、通知情報を複数の情報に分割したとき、分割した情報毎に変換を行うことを特徴とする情報通知装置。
【請求項６】
請求項５に記載の情報通知装置において、
前記通知情報変換手段は、分割した情報の一部分のみを変換することを特徴とする情報通知装置。
【請求項７】
請求項１乃至６のいずれか１項に記載の情報通知装置において、
通知通常情報は、各ユーザの現在の状態を表す情報であることを特徴とする情報通知装置。
【請求項８】
請求項１乃至７のいずれか１項に記載の情報通知装置において、
ユーザが入力するべき通知情報を、ユーザにより指定されたグループに対応した既登録の通知情報で自動設定することを特徴とする情報通知装置。
【請求項９】
コンピュータにより実施され、
複数のユーザがグループ管理されている場合において、情報通知手段が、ユーザにより入力された他のグループに属する他のユーザへの通知情報を受け付けるステップと、
ステータス変換手段が、他のユーザへ通知すべき通知情報を、グループ間の包含関係に対応した変換ルールに従い異なる表現に変換する変換ステップと、
他のユーザが使用する情報端末装置で表示させるために、情報通知手段が、前記変換ステップにより変換された通知情報を送信する通知ステップと、
を含み、入力された通知情報を、他のユーザが属するグループによって異なる表現での表示を可能にしたことを特徴とする情報通知方法。
【請求項１０】
ユーザにより入力された他のユーザへの通知情報を、他のユーザが使用する情報端末装置へ通知し表示させるコンピュータを、
ユーザをグループ化したときに、各ユーザの所属グループ及び通知先情報を記憶するグループ情報記憶手段、
グループ間の包含関係を記憶するグループ間情報記憶手段、
通知情報を異なる表現で開示するための変換ルールを記憶する変換ルール記憶手段、
グループ間毎に適用する変換ルールを記憶する適用変換ルール記憶手段、
通知情報を入力したユーザと異なるグループに属するユーザへ通知する通知情報を、当該グループ間の包含関係に対応した変換ルールに従い異なる表現に変換する通知情報変換手段、
として機能させる情報通知プログラム。
【請求項１１】
請求項１０に記載の情報通知プログラムにおいて、
前記通知情報変換手段は、通知情報を入力したユーザが所属しているグループを包含しているグループに所属するユーザに対して通知する通知情報に対しては変換ルールに従い異なる表現に変換し、通知情報を入力したユーザが所属しているグループに包含されているグループに所属するユーザに対して通知する通知情報に対しては表現を変更しないことを特徴とする情報通知プログラム。
【請求項１２】
請求項１０に記載の情報通知プログラムにおいて、
前記各記憶手段に記憶されたグループ情報、グループ間情報、変換ルール又は適用変換ルールのいずれか少なくとも一つの情報を別途設定するカスタマイズ機能を有し、そのカスタマイズ機能により情報が別途設定されているときには、その設定された情報を優先的に用いて通知情報を変換することを特徴とする情報通知プログラム。
【手続補正２】
【補正対象書類名】明細書
【補正対象項目名】発明の名称
【補正方法】変更
【補正の内容】
【発明の名称】情報通知装置、情報通知方法、情報通知プログラム
【手続補正３】
【補正対象書類名】明細書
【補正対象項目名】００１７
【補正方法】変更
【補正の内容】
【００１７】
本発明に係る情報通知方法は、コンピュータにより実施され、複数のユーザがグループ管理されている場合において、情報通知手段が、ユーザにより入力された他のグループに属する他のユーザへの通知情報を受け付けるステップと、ステータス変換手段が、他のユーザへ通知すべき通知情報を、グループ間の包含関係に対応した変換ルールに従い異なる表現に変換する変換ステップと、他のユーザが使用する情報端末装置で表示させるために、情報通知手段が、前記変換ステップにより変換された通知情報を送信する通知ステップとを含み、入力された通知情報を、他のユーザが属するグループによって異なる表現での表示を可能にしたことを特徴とする。
【手続補正４】
【補正対象書類名】明細書
【補正対象項目名】００１８
【補正方法】変更
【補正の内容】
【００１８】
本発明に係る情報通知プログラムは、ユーザにより入力された他のユーザへの通知情報を、他のユーザが使用する情報端末装置へ通知し表示させるコンピュータを、ユーザをグループ化したときに、各ユーザの所属グループ及び通知先情報を記憶するグループ情報記憶手段、グループ間の包含関係を記憶するグループ間情報記憶手段、通知情報を異なる表現で開示するための変換ルールを記憶する変換ルール記憶手段、グループ間毎に適用する変換ルールを記憶する適用変換ルール記憶手段、通知情報を入力したユーザと異なるグループに属するユーザへ通知する通知情報を、当該グループ間の包含関係に対応した変換ルールに従い異なる表現に変換する通知情報変換手段として機能させる。
また、前記通知情報変換手段は、通知情報を入力したユーザが所属しているグループを包含しているグループに所属するユーザに対して通知する通知情報に対しては変換ルールに従い異なる表現に変換し、通知情報を入力したユーザが所属しているグループに包含されているグループに所属するユーザに対して通知する通知情報に対しては表現を変更しないことを特徴とする。